(57)【要約】【課題】構成がシンプルでありかつ入賞のチャンスが変化する遊技機の入賞装置を提供する。【解決手段】本発明による遊技機の入賞装置は、少なくとも２つの入賞口を有する遊技盤を備えた遊技機の入賞装置であって、該入賞口の一方の上方に設置されていて遊技球を下方に案内する案内羽根機構と、該入賞口の双方の前方に選択的に位置決めされ得る受け口と、該受け口を位置決めする位置決め機構と、を有する。該入賞口は該受け口の移動方向において拡大している長手状開口であっても良い。また、該案内羽根機構は互いに接近離間すべく揺動し得る一対の案内羽根を含んでも良い。【選択図】図１
2007130216.tif 000002
【特許請求の範囲】
【請求項１】
少なくとも２つの入賞口を有する遊技盤を備えた遊技機の入賞装置であって、
前記入賞口の一方の上方に設置されていて遊技球を下方に案内する案内羽根機構と、
前記入賞口の双方の前方に選択的に位置決めされ得る受け口と、
前記受け口を位置決めする位置決め機構と、を有することを特徴とする入賞装置。
【請求項２】
前記入賞口は前記受け口の移動方向において拡大している長手状開口であることを特徴とする請求項１記載の入賞装置。
【請求項３】
前記案内羽根機構は互いに接近離間すべく揺動し得る一対の案内羽根を含むことを特徴とする請求項１又は２に記載の入賞装置。
【請求項４】
前記受け口の移動方向は鉛直方向であることを特徴とする請求項１乃至３の何れか１に記載の入賞装置。
【請求項５】
前記受け口の移動方向は水平方向に対して交差する傾斜方向であることを特徴とする請求項１乃至３の何れか１に記載の入賞装置。
【請求項６】
前記受け口の移動経路は半円形の曲線であることを特徴とする請求項１乃至３の何れか１に記載の入賞装置。
【発明の詳細な説明】
【技術分野】
【０００１】
本発明は、遊技機の入賞装置に関する。
【背景技術】
【０００２】
パチンコ機に代表される弾球遊技機は遊技球が打出される遊技領域に複数の入賞装置が設けられており、該入賞装置にはそれぞれ入賞口が設けられている。遊技球が該入賞口を通過すると、弾球遊技機は賞球を払い出すなどの特典を遊技者に付与する。従って、遊技者は、遊技球が入賞口を通過するように当該装置を狙って遊技球を打出する。
【０００３】
遊技球の打出は、弾球遊技機の下方に突設されている操作ハンドルを用いて行われる。操作ハンドルには所定の角度範囲内で回動する打出調整部が設けられており、該打出調整部はバネ等により反時計回り方向への付勢力が付与された状態で基準位置に配置されている。
【０００４】
打出調整部は弾球の発射装置を駆動せしめる操作スイッチとなっており、打出調整部を基準位置から時計回り方向に回動せしめることによって発射装置が作動するようになっている。また、打出調整部は遊技球が遊技領域に打ち出されない基準位置から所定の角度範囲で回動するようになっており、遊技者が基準位置から打出調整部を回動させると、遊技球は基準位置から回動された該打出調整部の位置に応じた強さで遊技領域に打ち出される。
【０００５】
弾球遊技機において、上記した入賞装置は遊技盤に対して固定されていることから、遊技者は該入賞装置を狙い打つことが容易になっている。すなわち、遊技者は操作ハンドルの打出調整部の回動量を一定に維持することによって遊技領域に向かう遊技球の打ち出し強さを定めることができる故、入賞装置に到達し得る遊技球の打ち出し強さに対応する打出調整部の回動量を見出すことによって、遊技球を入賞装置に至らせることができるのである。
【０００６】
遊技者は入賞の有無を確認するために入賞装置に向かう遊技球の動きに着目するものの、打出された後の遊技球の軌道がほぼ定まり、遊技球の動きによる演出が単調になり、飽きるおそれがあった。
【０００７】
そこで、入賞装置を狙い難くするために、横方向に往復運動する可動入賞装置が提案されている（特許文献１参照）。
【特許文献１】特開平５‐１９２４４３号公報
【発明の開示】
【発明が解決しようとする課題】
【０００８】
上記の如き可動入賞装置は、当該装置を横方向に往復運動せしめるための駆動機構および可動の入賞口を通過した遊技球を回収するための球回収機構等を備えている必要がある。従って、可動入賞装置の構成は複雑になり、当該装置が占有する体積が増大するという問題がある。
【０００９】
本発明は、上述した問題点が一例として挙げられる課題を解決するためになされたものであり、構成がシンプルでありかつ可動の入賞装置を提供することを目的としている。
【課題を解決するための手段】
【００１０】
本発明による入賞装置は、少なくとも２つの入賞口を有する遊技盤を備えた遊技機の入賞装置であって、該入賞口の一方の上方に設置されていて遊技球を下方に案内する案内羽根機構と、該入賞口の双方の前方に選択的に位置決めされ得る受け口と、該受け口を位置決めする位置決め機構と、を有することを特徴とする。
【発明を実施するための最良の形態】
【００１１】
以下、本発明による遊技機の入賞装置について、添付図面を参照しつつ詳細に説明する。なお、遊技機の１例としてパチンコ機を用いて説明する。
【００１２】
図１に示す如く、パチンコ機１は、本体基部となる本体枠２と、本体枠２の内部に配設された遊技盤３と、遊技盤３の前面に設けられていて本体枠２に対して開閉自在になっている前面枠４と、を有する。
【００１３】
前面枠４の下方には下扉枠５が設けられている。下扉枠５には、遊技球供給用の供給皿５ａと、遊技球の発射の制御および発射強度を制御するための操作ハンドル６と、が設けられている。操作ハンドル６は、パチンコ機１の右側部に配置されておりかつ遊技者が握りやすいように突設している。操作ハンドル６には、所定の角度範囲内で回動自在な打出調整部７が設けられている。打出調整部７は弾球の発射装置（図示せず）を駆動せしめる操作スイッチとなっており、打出調整部７を基準位置から時計回り方向に回動せしめることによって遊技球の該発射装置が作動するようになっている。打出調整部７は、バネ等により反時計回り方向への付勢力が付与された状態で基準位置に配置されている。ここで基準位置とは非変移状態の位置をいい、かかる位置に打出調整部７が配置されている場合に、遊技球は遊技盤３の遊技領域３ａに打ち出されないようになっている。
【００１４】
パチンコ機１の背面側には、パチンコ機１の各種装置を制御する主制御装置ならびに副制御装置、遊技球の発射装置、遊技領域３ａから排出された遊技球の球回収装置および遊技者に賞球を払いだす球払出装置など（いずれも図示せず）が設けられている。
【００１５】
上記の如きパチンコ機１において、遊技盤３は、少なくとも２つの入賞口を有している。例えば、図１および図２に示す如く、パチンコ機１の遊技盤３は、２つの入賞口８ａ，８ｂを有している。かかるパチンコ機１は、入賞口８ａ，８ｂの一方（入賞口８ａ）の上方に設置された案内羽根機構９と、入賞口８ａ，８ｂの双方の前方に選択的に位置決めされ得る受け口１０と、受け口１０を位置決めする位置決め機構（図示せず）と、を有する入賞装置１１を有している。また、遊技盤３の遊技領域３ａには、液晶ディスプレイ等の図柄可変表示装置、釘、風車、アウト口等（いずれも図示せず）も設けられている。
【００１６】
図３に示す如く、受け口１０は棒状体１０ａを有しており、棒状体１０ａは遊技盤３に設けられていて左右方向に広がる長手状の案内孔１２に挿入されている。棒状体１０ａの一端、すなわち受け口１０と結合している一方の端部とは反対側の他方の端部には、位置決め機構（図示せず）が取り付けられている。該位置決め機構は、遊技盤３の背面側に配置されており、パチンコ機１の主制御装置（図示せず）によって制御されている。該位置決め機構は、ソレノイド、ラックアンドピニオン等の移動手段を備えており、棒状体１０ａの該他方の端部を移動せしめる。該他方の端部が移動することによって、棒状体１０ａは案内孔１２に沿って移動し、これに伴って受け口１０も移動する。なお、案内孔１２の長手方向に直交する方向における幅は、遊技球の半径よりも小であることが好ましい。かかる案内孔１２から遊技盤３の背面側に遊技球が落下することを防止することができる。
【００１７】
受け口１０は、遊技盤３に向けて遊技球を導く経路１０ｂを有しており、受け口１０が入賞口８ａ，８ｂの前方に配置された場合に、経路１０ｂと入賞口８ａ，８ｂとが連通する。従って、受け口１０が入賞口８ａ，８ｂの前方に配置されているときに、受け口１０を経由して入賞口８ａ，８ｂへ遊技球を案内することができる。入賞口８ａ，８ｂは遊技球を回収する球回収通路１３と連通しており、球回収通路１３は球回収装置（図示せず）に遊技球を導く経路となっている。
【００１８】
球回収通路１３には、遊技球の通過を検知する球検知センサ（図示せず）が設けられている。該球検知センサは、遊技球の通過を検知するとパチンコ機１の主制御装置（図示せず）に球検知信号を供給し、該主制御装置は、球検知信号に応じて図柄可変表示装置（図示せず）に表示される図柄を変更し、球払出装置（図示せず）を動作させて所定数の賞球を払い出す。なお、入賞口ごとに、遊技者に付与する特典が異なることとしても良い。例えば、遊技球が通過した入賞口に応じて、払いだされる賞球の数が異なっていても良い。また、抽選による当選確率が異なる又は特定入賞口（図示せず）に至る経路の開放時間若しくは開放回数が異なるなど、遊技者に大量の賞球が払い出されるチャンスが異なることとしても良い。また、図柄可変表示装置（図示せず）の表示面に表示される図柄が異なっていることとしても良い。
【００１９】
遊技盤３に設けられている２つの入賞口８ａ，８ｂのうち、一方の入賞口８ａの上方に設置された案内羽根機構９は、離間して配置されている一対の案内羽根９ａ，９ｂを有しており、案内羽根９ａ，９ｂ間に遊技球の案内経路１４が形成されている。案内経路１４は、上方における導入部が下方における導出部に比べて幅広になっており、上方から落下してくる遊技球が案内経路１４に導かれ易くなっている。案内経路１４は、遊技球を下方、すなわち遊技球を一方の入賞口８ａの上方に向けて導く。従って、受け口１０が一方の入賞口８ａの前方に位置決めされている場合（図２（ａ））、案内経路１４を通過した遊技球は、受け口１０の経路１０ｂを経由して一方の入賞口８ａを通過する。案内羽根機構９を設けることによって、一方の入賞口８ａは、他方の入賞口８ｂに比べて遊技球が通過し易い。
【００２０】
上記の如き構成の入賞装置１１における受け口１０の動作について説明する。図２（ａ）および図２（ｂ）に示す如く、受け口１０は、２つの入賞口８ａ，８ｂの前方に選択的に位置決めされるように、水平方向を左右に移動し得る。受け口１０は、例えば所定の周期で常時往復運動することとしても良い。
【００２１】
受け口１０は入賞口８ａ，８ｂの前方に位置決めされた後に所定時間停止することとしても良い。かかる停止時間は、入賞口ごとに異なることとしても良い。例えば、一方の入賞口８ａの前方において停止している時間は、他方の入賞口８ｂの前方において停止している時間に比べて長く（若しくは短く）なっていても良い。
【００２２】
また、入賞口８ａ，８ｂの間における受け口１０の移動速度は、移動する方向ごとに異なっていることとしても良い。例えば、一方の入賞口８ａの前方から他方の入賞口８ｂの前方に移動する移動速度は、他方の入賞口８ｂの前方から一方の入賞口８ａの前方に移動する移動速度に比べて速く（若しくは遅く）なっていても良い。
【００２３】
なお、受け口１０は周期的に移動する場合に限定されず、受け口１０の運動は変化しても良い。例えば、パチンコ機１の主制御装置（図示せず）内の記憶装置（図示せず）に受け口１０の移動速度および停止時間の組み合わせがそれぞれ異なる複数の受け口移動データを記憶させておき、該主制御装置が当該データを適宜ロードしかつ該データに基づいて位置決め機構（図示せず）を駆動することよって、受け口１０の運動を変化させることとしても良い。該主制御装置による受け口移動データのロードは、図示していない入賞口を遊技球が通過するなどの所定の条件が満たされることを契機として若しくは抽選結果に応じて行われても良い。
【００２４】
なお、受け口１０は、図４に示す如く、入賞口８ａ，８ｂの間で停止しても良い。受け口１０の停止位置を増やすことによって、受け口１０の動きを複雑にすることができる。その結果、受け口１０の移動による演出効果を高めることができる。
【００２５】
上記の如きパチンコ機（遊技機）における入賞装置は、受け口を動かすことによって、入賞口を狙い打つことを困難にする。また、受け口の移動による演出を行うことができる。すなわち、受け口が配置されていない入賞口に向かって若しくは２つの入賞口の間の受け口が移動する領域に向かって遊技球が進行していても、受け口が移動することによって当該遊技球が受け口に受容される場合がある。その結果、遊技者は入賞のチャンスを得ることとなり、当該遊技機は遊技者に対して遊技の結果に意外性を付与することができる。
【００２６】
また、上記した入賞装置は、遊技球を入賞口に導く受け口のみを移動させる構成であることから、入賞装置の構成をシンプルにすることができる。換言すれば、パチンコ機において、球回収装置（図示せず）は遊技盤に対して固定することができることから、当該装置を移動せしめる機構を設ける必要がない故、入賞装置の構成を単純化することができる。
【００２７】
また、遊技盤に設けられている案内孔は、受け口に取り付けられた棒状体が移動できる大きさであれば良く、遊技球が通過できる大きさよりも大とする必要はない。すなわち、案内孔を介して遊技盤の背面側に遊技球を導く必要がない故、案内孔の大きさを小とすることができる。従って、複数の入賞装置を遊技盤に設置する場合、遊技盤に複数の案内孔を設けても、各案内孔の大きさを小とすることができることから、遊技盤の強度の低下を抑制することができる。
【００２８】
さらに、一方の入賞口の上方に案内羽根機構を設けることによって、入賞口ごとに遊技球の通過し易さ（入賞の難易度）を異ならせることができる。すなわち、案内羽根機構は、一方の入賞口の前方に遊技球を導いていることから、他方の入賞口に比べて遊技球が通過し易い。入賞口ごとに入賞の難易度が異なっていることによって、入賞のチャンスは遊技者の技量によって増減することから、遊技者は当該入賞装置を備えたパチンコ機（遊技機）の操作を楽しむことができる。また、入賞の困難性が異なることを用いて、入賞口ごとに遊技者に付与される特典を異ならせるなど入賞口の差別化を図ることができる。これによって、受け口１０の移動と併せて、遊技者に提供する遊技状態を変化させることができる。
【００２９】
同様に、受け口の運動状態、すなわち入賞口の前方に停止している停止時間および入賞口の間の移動速度に応じて各入賞口に対する入賞の難易度を異ならせることができる。
【００３０】
なお、変形例として受け口１０は透明部材からなることとしても良い。受け口１０に受容された遊技球が入賞口８ａ，８ｂを通過する様子を確認することができる。特に、受け口１０が入賞口８ａ，８ｂの間を移動している間に遊技球が当該受け口１０内に受容されたことを確認することができるとともに、受け口１０の移動に伴う遊技球の移動を視認させることによって、遊技球の移動による演出を行うことができる。
【００３１】
また、別の変形例として、入賞口８ａ，８ｂは、図５に示す如く、受け口１０の移動方向において拡大している長手状開口となっていても良い。そのほかの構成は、上記した実施例とほぼ同様であることとしても良い。遊技球が受け口１０に受容された直後に移動する場合、当該遊技球が受け口１０と入賞口８ａ（若しくは入賞口８ｂ）との間に挟まれて、受け口１０、遊技盤３および位置決め機構（図示せず）が損傷するおそれがあるものの、入賞口８ａ，８ｂを長手状開口とすることによって、遊技球が入賞口８ａ，８ｂの縁部に衝突し難くなり、結果的に遊技球が受け口１０と入賞口８ａ（若しくは入賞口８ｂ）との間に挟まれ難くなる。
【００３２】
さらに、別の変形例として、案内羽根機構における一対の案内羽根は互いに接近離間すべく揺動し得ることとしても良い。例えば、図６に示す如く、案内羽根９ａ，９ｂは、下端部における軸９ｃを中心にして遊技盤３の盤面に平行な方向に対して揺動する。案内羽根９ａ，９ｂが揺動することによって、案内羽根９ａ，９ｂ間に形成される案内経路１４の形状が変化し、これに伴って案内経路１４に侵入できる遊技球の流路が変化する。すなわち、一方の入賞口８ａの前方に受け口１０が配置されている場合においても、入賞のチャンスを案内羽根９ａ，９ｂの動きによって変化させることができる。特に、図６に示す如く、一対の案内羽根９ａ，９ｂが互いに接近離間すべく揺動して、案内経路１４の上部の導入部の幅が拡大もしくは縮小する場合において、導入部を通過できる遊技球の流路が変化することによって入賞するチャンスが増減する。その結果、遊技者は打出された遊技球と案内羽根の動きに着目することとなり、遊技の興趣を高めることができる。
【００３３】
上記実施例において、受け口１０が移動する方向は水平方向として説明しているもののかかる方向に限定されず、例えば、図７に示す如く鉛直方向（図７（ａ））又は水平方向に対して交差する傾斜方向（図７（ｂ））であっても良い。この場合において、受け口１０の移動方向に沿うように案内孔１２が設けられており、鉛直方向又は傾斜方向に沿った直線形状となっている。入賞口８ａ，８ｂは、案内孔１２の端部の近傍に設けられている。その他の構成は、上記した実施例と略同様の構成となっている。
【００３４】
また、受け口１０は、直線移動する場合に限定されず、曲線に沿って移動することとしても良い。例えば図８に示す如く、受け口１０の移動経路は半円形の曲線であることとしても良い。かかる入賞装置１１において、案内孔１２は半円形の曲線部分に沿う形状となっており、入賞口８ａ，８ｂは案内孔の端部の近傍に設けられている。その他の構成は、上記した実施例と略同様の構成となっている。
【００３５】
上記実施例の如く、入賞装置１１が受け口１０を鉛直方向、傾斜方向又は曲線方向に移動せしめることによって、遊技球を上方に移動せしめることができる。すなわち、受け口１０が上方に移動し得ることから、移動中の受け口１０に収容された遊技球を上方に移動せしめることができる。その結果、遊技球に落下運動とは異なる運動を提供することができて、遊技者に受け口１０の移動及び受け口１０に収容された遊技球の移動による演出を提供することができる。
【図面の簡単な説明】
【００３６】
【図１】本発明による入賞装置を備えた遊技機の正面図である。
【図２】本発明による入賞装置の部分拡大正面図である。
【図３】図２のＡ−Ａ線断面図である。
【図４】本発明による入賞装置の変形例の部分拡大正面図である。
【図５】本発明による入賞装置の変形例の部分拡大正面図である。
【図６】本発明による入賞装置の変形例の部分拡大正面図である。
【図７】本発明による入賞装置の変形例の部分拡大正面図である。
【図８】本発明による入賞装置の変形例の部分拡大正面図である。
【符号の説明】
【００３７】
１  パチンコ機
３  遊技盤
３ａ  遊技領域
８ａ，８ｂ  入賞口
９  案内羽根機構
９ａ，９ｂ  案内羽根
９ｃ  軸
１０  受け口
１０ａ  棒状体
１０ｂ  経路
１１  入賞装置
１２  案内孔
１３  球回収通路
１４  案内経路
【図１】
2007130216.tif 000003
【図２】
2007130216.tif 000004
【図３】
2007130216.tif 000005
【図４】
2007130216.tif 000006
【図５】
2007130216.tif 000007
【図６】
2007130216.tif 000008
【図７】
2007130216.tif 000009
【図８】
2007130216.tif 000010